(57)【要約】【課題】製造工程において良好な半田付けが可能である電気接続箱を提供する。【解決手段】一側から複数のヒューズが挿着される挿着筐体１０と、挿着筐体１０の各ヒューズを基板５０に接続させる複数のヒューズ端子１３とを備える、車両用の電気接続箱において、挿着筐体１０の前記一側と反対側の反対側面と対向配置され、ヒューズ端子１３の挿着筐体１０寄りの一端部を保持する板状の保持体２０を備え、ヒューズ端子１３の前記一端部を除く残り部分は保持されず、開放されている。【選択図】図６
2020092576.tif 000002
【特許請求の範囲】
【請求項１】
一側から複数のヒューズが挿着される挿着筐体と、前記挿着筐体の各ヒューズを基板に接続させる複数のヒューズ端子とを備える、車両用の電気接続箱において、
前記挿着筐体の前記一側と反対側面に対向配置され、前記ヒューズ端子の前記挿着筐体寄りの一端部を保持する板状の保持体を備え、
前記ヒューズ端子の前記一端部を除く残り部分は保持されず、開放されている電気接続箱。
【請求項２】
前記挿着筐体は直方体箱形状をなし、
前記基板は、前記保持体の厚み方向と平行に、前記反対側面の一長辺側に配置され、
前記保持体を前記基板に固定するための締結部を備える請求項１に記載の電気接続箱。
【請求項３】
前記保持体に設けられ、前記保持体を前記挿着筐体に取り付けるための掛止部と、
前記挿着筐体に設けられ、前記掛止部に対応する掛止孔とを備えることを特徴とする請求項１又は２に記載の電気接続箱。
【請求項４】
前記挿着筐体の前記反対側面と対向する前記保持体の第１面側から前記保持体を保持する保持板部を備える請求項１から３の何れか一つに記載の電気接続箱。
【請求項５】
前記保持体の前記第１面と反対側の第２面側から前記保持体を保持する保持片を備える請求項４に記載の電気接続箱。
【発明の詳細な説明】
【技術分野】
【０００１】
本発明は、車両に用いられる電気接続箱に関する。
【背景技術】
【０００２】
従来から、ヒューズを挿着する電気接続箱が車両に搭載されている。
【０００３】
特許文献１には、ヒューズを嵌合させる複数のヒューズ嵌合部と、ヒュージブルリンクを嵌合させる複数のヒュージブルリンク嵌合部と、主ヒュージブルリンクを嵌合させる主ヒュージブルリンク嵌合部とが設けられた箱本体を備える電気接続箱において、ヒューズ嵌合部とヒュージブルリンク嵌合部と主ヒュージブルリンク嵌合部とがこの順序で前記箱本体の一面に順次配列されていることが開示されている。
【先行技術文献】
【特許文献】
【０００４】
【特許文献１】特開平９−２８３００４号公報
【発明の概要】
【発明が解決しようとする課題】
【０００５】
一般に、電気接続箱の製造工程においては、基板の半田付けの際、リフロー法が用いられる。リフロー法では、リフロー炉内にて熱風を用いて半田付けが行われる。
【０００６】
一方、電気接続箱においては、ヒューズが挿着されるヒューズモジュールと基板とがヒューズ端子によって接続されており、斯かるヒューズ端子は保持体によって保持されている。
【０００７】
しかし、従来の電気接続箱においては、保持体がヒューズ端子の略全体を覆う状態にてヒューズを保持する構成を有する。このような従来の電気接続箱では、熱風の流れが保持体によって遮蔽され、直接基板まで届かないことから、基板にて適切な半田付けが出来ないという問題が生じていた。
しかしながら、特許文献１の電気接続箱はこのような問題について工夫されておらず、解決できない。
【０００８】
本発明は斯かる事情に鑑みてなされたものであり、その目的とするところは、製造工程において良好な半田付けが可能である電気接続箱を提供することにある。
【課題を解決するための手段】
【０００９】
本開示の一態様に係る電気接続箱は、一側から複数のヒューズが挿着される挿着筐体と、前記挿着筐体の各ヒューズを基板に接続させる複数のヒューズ端子とを備える、車両用の電気接続箱において、前記挿着筐体の前記一側と反対側の反対側面と対向配置され、前記ヒューズ端子の前記挿着筐体寄りの一端部を保持する板状の保持体を備え、前記ヒューズ端子の前記一端部を除く残り部分は保持されず、開放されている。
【発明の効果】
【００１０】
本開示の一態様によれば、製造工程において良好な半田付けが可能である電気接続箱を提供できる。
【図面の簡単な説明】
【００１１】
【図１】本実施形態に係る電気接続箱の外見を示す斜視図である。
【図２】本実施形態に係る電気接続箱において、ケース部材及び蓋部材を省略した状態を示す斜視図である。
【図３】本実施形態に係る電気接続箱のヒューズモジュールの後側を示す斜視図である。
【図４】本実施形態に係る電気接続箱のヒューズモジュールの分解図である。
【図５】本実施形態に係る電気接続箱のヒューズモジュールの分解図である。
【図６】図３のＶＩ−ＶＩ線による縦断面図である。
【図７】本実施形態に係る電気接続箱の上ケース部を示す斜視図である。
【発明を実施するための形態】
【００１２】
［本発明の実施形態の説明］
最初に本開示の実施態様を列挙して説明する。また、以下に記載する実施形態の少なくとも一部を任意に組み合わせてもよい。
【００１３】
（１）本開示の一態様に係る電気接続箱は、一側から複数のヒューズが挿着される挿着筐体と、前記挿着筐体の各ヒューズを基板に接続させる複数のヒューズ端子とを備える、車両用の電気接続箱において、前記挿着筐体の前記一側と反対側面に対向配置され、前記ヒューズ端子の前記挿着筐体寄りの一端部を保持する板状の保持体を備え、前記ヒューズ端子の前記一端部を除く残り部分は保持されず、開放されている。
【００１４】
本態様にあっては、前記保持体が板状であり、前記ヒューズ端子の前記挿着筐体寄りの一端部のみを保持する。従って、前記ヒューズ端子の前記一端部を除く残り部分は前記保持体によって保持されず、開放されている。よって、前記電気接続箱の製造工程において前記基板まで熱風が直接届くので良好な半田付けが可能である。
【００１５】
（２）本開示の一態様に係る電気接続箱は、前記挿着筐体は直方体箱形状をなし、前記基板は、前記保持体の厚み方向と平行に、前記反対側面の一長辺側に配置され、前記保持体を前記基板に固定するための締結部を備える。
【００１６】
本態様にあっては、前記保持体に、該保持体を前記基板に固定するための締結部が設けられている。従って、前記保持体がしっかり固定され、たとえ前記保持体が前記ヒューズ端子の前記一端部のみを保持しても、確実に前記ヒューズ端子を保持することができる。
【００１７】
（３）本開示の一態様に係る電気接続箱は、前記保持体に設けられ、前記保持体を前記挿着筐体に取り付けるための掛止部と、前記挿着筐体に設けられ、前記掛止部に対応する掛止孔とを備える。
【００１８】
本態様にあっては、前記保持体に設けられた前記掛止部が、前記挿着筐体に設けられた掛止孔に掛止することによって、前記保持体が前記挿着筐体に取り付けられる。従って、前記保持体がしっかり固定され、たとえ前記保持体が前記ヒューズ端子の前記一端部のみを保持しても、確実に前記ヒューズ端子を保持することができる。
【００１９】
（４）本開示の一態様に係る電気接続箱は、前記挿着筐体の前記反対側面と対向する前記保持体の第１面側から前記保持体を保持する保持板部を備える。
【００２０】
本態様にあっては、前記保持板部は前記挿着筐体に設けられており、前記保持体の前記第１面側から前記保持体を保持する。従って、前記保持体がしっかり固定され、たとえ前記保持体が前記ヒューズ端子の前記一端部のみを保持しても、確実に前記ヒューズ端子を保持することができる。
【００２１】
（５）本開示の一態様に係る電気接続箱は、前記保持体の前記第１面と反対側の第２面側から前記保持体を保持する保持片を備える。
【００２２】
本態様にあっては、前記保持体の前記第２面側に前記保持片が設けられ、前記保持体を保持する。従って、前記保持体がしっかり固定され、たとえ前記保持体が前記ヒューズ端子の前記一端部のみを保持しても、確実に前記ヒューズ端子を保持することができる。
【００２３】
[本発明の実施形態の詳細]
本発明をその実施形態を示す図面に基づいて具体的に説明する。本開示の実施形態に係る電気接続箱を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００２４】
図１は、本実施形態に係る電気接続箱１００の外見を示す斜視図である。電気接続箱１００はヒューズが挿着される、所謂ヒューズボックスであり、車両に搭載される。
【００２５】
電気接続箱１００は、電子部品等が実装された基板を収容するケース部材３０と、ヒューズが挿着されるヒューズモジュール１と、ヒューズモジュール１の開放口を覆う蓋部材４０とを備える。
【００２６】
本実施形態では、便宜上、図１に示す前後、左右、上下の各方向により、電気接続箱１００の「前」、「後」、「左」、「右」、「上」、「下」を定義する。以下では、このように定義される前後、左右、上下の各方向を用いて説明する。
【００２７】
ケース部材３０は、上ケース部３１と、下ケース部３２とを有する。上ケース部３１は段差を有し、上下方向において、前側端部の寸法が他の部分より大きい。上ケース部３１は前側端部に扁平な平板部３１１を含み、平板部３１１が後述する複数のヒューズ端子１３を覆う。なお、電気接続箱１００は、左右の側面に、コネクタ端子６０が複数設けられている。
【００２８】
図２は、本実施形態に係る電気接続箱１００において、ケース部材３０及び蓋部材４０を省略した状態を示す斜視図である。
【００２９】
ヒューズモジュール１は、ヒューズＦが複数挿着される挿着筐体１０と、挿着筐体１０に挿着されたヒューズＦと前記基板とを接続させる複数のヒューズ端子１３と、ヒューズ端子１３を保持する保持体２０とを有する。
【００３０】
挿着筐体１０は、前側の全面が開放された直方体箱形状をなしている。挿着筐体１０の内側には、ヒューズＦが挿着される矩形状の挿入穴１２がマトリックス状に設けられている。即ち、挿入穴１２は、挿着筐体１０の前側の開放口１１を介して露出されている。
【００３１】
基板５０は挿着筐体１０の下側に配置されている。詳しくは、挿着筐体１０において開放口１１と隣り合う４つの壁部のうち、下側に位置する下側壁部１１１の近傍に基板５０が設けられている。基板５０は、下側壁部１１１の外側面から隔てて、下側壁部１１１と平行に配置されている。挿入穴１２に挿入された各ヒューズＦはヒューズ端子１３によって基板５０と接続される。
【００３２】
開放口１１は矩形状であり、複数の挿入穴１２が開放口１１の長手方向（左右方向）に並んで列をなしている。例えば、開放口１１の長手方向に並んだ挿入穴１２の列が、開放口１１の短手方向（上下方向）において３つ形成されている。
【００３３】
挿入穴１２の各列においては、各挿入穴１２の長寸方向が開放口１１の短手方向（上下方向）と平行に、各挿入穴１２が開放口１１の長手方向に並んでいる。
【００３４】
図３は、本実施形態に係る電気接続箱１００のヒューズモジュール１の後側を示す斜視図であり、図４は、本実施形態に係る電気接続箱１００のヒューズモジュール１の分解図である。図４においては、ヒューズモジュール１の分解図を後側から示している。また、図３及び図４においては、説明の便宜上、基板５０を破線にて示している。
【００３５】
挿着筐体１０の後側面１６（反対側面）にはヒューズ端子１３の一端部１３２が挿入されるための貫通孔１５が複数形成されている。貫通孔１５を介してヒューズ端子１３の一端部１３２が挿着筐体１０内に挿入される。
【００３６】
また、後側面１６には、貫通孔１５の付近に、貫通孔１５へのヒューズ端子１３の挿入を案内する案内部１１５が設けられている。案内部１１５は略樋形状をなしており、後側面１６から保持体２０側に突設されている。案内部１１５は後側面１６の長手方向に沿って複数並設されている。従って、電気接続箱１００の組み付け作業の際、案内部１１５を用いることによって、作業者は容易にヒューズ端子１３の一端部１３２を貫通孔１５に挿入することができる。
【００３７】
ヒューズ端子１３は導電性金属の薄板材からなる。ヒューズ端子１３は途中に屈曲部を有し、例えば略Ｌ字状をなしている。上述したように、ヒューズ端子１３の一端部１３２は後側面１６の貫通孔１５に挿入される。前記複数のヒューズ端子１３のうち一部は、一端部１３２が２つに分けられている。ヒューズ端子１３の一端部１３２は挿着筐体１０に挿着されたヒューズＦと接続する。また、ヒューズ端子１３の他端部は下方、即ち基板５０に向けて屈曲しており、基板５０の貫通孔５１に挿入され、例えば半田付けによって基板５０と接続される。
【００３８】
ヒューズ端子１３は、面積が大きい主面に隣り合う側面が左方又は右方を向くように、設けられている。換言すれば、ヒューズ端子１３においては、屈曲部に対して一方の部分の厚み方向と、他方の部分の厚み方向とが互いに交差している。
【００３９】
また、挿着筐体１０には、保持体２０を挿着筐体１０に取り付けるための掛止孔１１４が形成されている。掛止孔１１４は後述する保持体２０の掛止部２０２に対応する位置に形成されている。
【００４０】
掛止孔１１４は挿着筐体１０の下側壁部１１１と隣り合う左右側の壁部１１６，１１６に夫々形成されている。掛止孔１１４は矩形孔であり、挿着筐体１０の壁部１１６を内外に貫通する貫通孔である。後側面１６においては、左右側の壁部１１６，１１６に隣接する辺縁部であって掛止孔１１４の近傍に、保持体２０の掛止部２０２の挿入を案内する案内孔１５１が形成されている。
【００４１】
従って、電気接続箱１００の組み付け作業の際、作業者は、保持体２０の掛止部２０２を挿着筐体１０の案内孔１５１に挿入して掛止部２０２を掛止孔１１４に掛止させることによって、保持体２０を挿着筐体１０に取り付けることができる。
【００４２】
更に、挿着筐体１０は、下側壁部１１１と対向する上側壁部１１２に切り欠き１１２Ａが形成されている。上側壁部１１２は短冊形状であり、上側壁部１１２の４つの角のうち、後側の２つの角に切り欠き１１２Ａが夫々形成されている。
【００４３】
図５は、本実施形態に係る電気接続箱１００のヒューズモジュール１の分解図である。図５においては、ヒューズモジュール１の分解図を前側から示している。また、図５においては、説明の便宜上、基板５０の表示を省略している。
【００４４】
更に、挿着筐体１０においては、左右側の壁部１１６，１１６に、保持体２０を保持する保持板部１１３が設けられている。保持板部１１３は矩形板状であり、挿着筐体１０の左右側の壁部１１６，１１６の後側辺縁から壁部１１６，１１６と交差する方向に突設されている。保持板部１１３は、壁部１１６，１１６の後側辺縁の下端に設けられており、後述する保持体２０のネジ止め筒２０１（締結部）と当接することによって、保持体２０を保持する。すなわち、保持板部１１３は、挿着筐体１０の後側面１６と対向する、保持体２０の第１面２０４の方から保持体２０を保持する。
【００４５】
保持体２０は所定厚みの矩形板形状をなしており、第１面２０４が挿着筐体１０の後側面１６と対向するように配置されている。保持体２０は、絶縁性のプラスチック等からなり、ヒューズ端子１３を保持する。詳しくは、保持体２０は、前記複数のヒューズ端子１３における挿着筐体１０寄りの一端部１３２のみを保持する。
【００４６】
保持体２０は保持体２０を厚み方向に貫通する挿通孔２０３を複数有する。挿通孔２０３は、前記複数のヒューズ端子１３の数だけ形成されており、各ヒューズ端子１３の一端部１３２に対応する位置に形成されている。即ち、挿通孔２０３は、保持体２０の長手方向に沿って並設されている。
【００４７】
電気接続箱１００の組み付け作業の際、各挿通孔２０３に、各ヒューズ端子１３の一端部１３２が挿通される。即ち、各ヒューズ端子１３の一端部１３２は、各挿通孔２０３を介して挿着筐体１０の貫通孔１５に挿入される。
【００４８】
一方、ヒューズ端子１３の一端部１３２においては、前記側面に抜け止め部１３１が主面に沿って突設されている。抜け止め部１３１が挿通孔２０３内に圧入されることによって、ヒューズ端子１３の一端部１３２が挿着筐体１０の貫通孔１５から抜けることが防止できる。
【００４９】
このように、保持体２０が前記複数のヒューズ端子１３の一端部１３２のみを保持することによって、各ヒューズ端子１３において一端部１３２を除く残り部分は保持されず、開放されている。
【００５０】
図６は、図３のＶＩ−ＶＩ線による縦断面図である。図６に示すように、各ヒューズ端子１３において一端部１３２を除く残り部分は露出されている。
従って、電気接続箱１００の組み付け作業において、リフロー法を用いてヒューズ端子１３の前記他端部を基板５０に半田付けする場合、熱風（図６中、矢印にて表示）が妨害されず、基板５０まで直接届く。
【００５１】
一般のリフロー炉においては、熱風が上下方向に流れる。従って、従来のように、保持体２０がヒューズ端子１３の略全体を覆う状態にてヒューズ端子１３を保持する構成においては、熱風の流れが保持体２０によって遮蔽される。従って、熱風が基板５０まで直接届かなくなり、適切な半田付けが出来ないという問題があった。
【００５２】
これに対して、本実施形態に係る電気接続箱１００においては、各ヒューズ端子１３において一端部１３２を除く残り部分が露出されているので、リフロー法を用いてヒューズ端子１３の前記他端部を基板５０に半田付けする場合、熱風が保持体２０によって妨害されることなく、基板５０まで直接届く。従って、良好な半田付けが可能である。
【００５３】
また、保持体２０においては、挿着筐体１０の後側面１６と対向する第１面２０４に、保持体２０を挿着筐体１０に取り付けるための掛止部２０２が設けられている。掛止部２０２は略フック形状をなしている。掛止部２０２は、矩形状である第１面２０４の両短辺の辺縁から、第１面２０４と交差する方向に延設されている。
【００５４】
上述したように、保持体２０の掛止部２０２は、挿着筐体１０の案内孔１５１に挿入されて掛止孔１１４と掛止する。この際、第１面２０４の長辺側の側面のうち上側の側面は挿着筐体１０の上側壁部１１２の外側面と面一をなし、下側の側面は挿着筐体１０の下側壁部１１１の外側面と面一をなす。
このように、保持体２０が挿着筐体１０に固定され、前記複数のヒューズ端子１３の一端部１３２のみを適切に保持できる。
【００５５】
更に、保持体２０においては、第１面２０４の両短辺側の側面に、保持体２０を基板５０に固定するためのネジ止め筒２０１が形成されている。ネジ止め筒２０１は上下方向に延びる四角筒形状であり、内側にはネジ孔が形成されている。ネジ止め筒２０１はその一の外側面が前記第１面と面一をなすように設けられている。
【００５６】
基板５０においてネジ止め筒２０１と対応する位置には、ネジ貫通孔５２が形成されている。従って、電気接続箱１００の組み付け作業の際、ネジ貫通孔５２を挿通してネジをネジ止め筒２０１のネジ孔と螺合させることによって、保持体２０が基板５０に固定される。この際、保持体２０は基板５０から隔てた状態にて固定される。
【００５７】
なお、保持体２０のネジ止め筒２０１の前記一の外側面には、挿着筐体１０の保持板部１１３が当接する。掛止部２０２と掛止孔１１４との掛止に加え、ネジ止め筒２０１と保持板部１１３との当接によって、保持体２０は確実に保持される。
本実施形態においては、ネジがネジ止め筒２０１のネジ孔と螺合することによって、保持体２０が基板５０に固定されることについて説明したが、これに限定されるものではない。例えば、ネジ止め筒２０１の代わりに、その先端に抜け止め用の返しを有するピン部材を設け、ネジ貫通孔５２にピン部材の先端を押し込むことによって、保持体２０が基板５０に固定されるように構成しても良い。
【００５８】
図７は、本実施形態に係る電気接続箱１００の上ケース部３１を示す斜視図である。上述したように、上ケース部３１は前側端部に平板部３１１を有する。また、平板部３１１は前側の縁における略中央部に切り欠き３１２を有している。切り欠き３１２は前記縁に沿う方向を長手方向にする短冊状である。
【００５９】
切り欠き３１２の内側には、保持体２０及び挿着筐体１０の後側部が配置される（図１参照）。即ち、切り欠き３１２の長手方向の寸法は保持体２０の長手方向の寸法と略同一であり、切り欠き３１２の短手方向の寸法は保持体２０の厚みより大きい。
【００６０】
平板部３１１の前側の縁においては、切り欠き３１２を除く部分、即ち切り欠き３１２に対して両側に、平板部３１１と交差する方向に前側板部３１５，３１６が延設されている。前側板部３１５，３１６同士の間には、挿着筐体１０が配置される（図１参照）。即ち、挿着筐体１０の左右側の壁部１１６，１１６が夫々前側板部３１５，３１６と交差するように、挿着筐体１０が配置される。
【００６１】
また、切り欠き３１２の短辺側の両縁から、平板部３１１と交差する方向に則板部３１７が延設されている。即ち、２つの則板部３１７のうち、左側の則板部３１７は前側板部３１５と隣り合い、右側の則板部３１７は前側板部３１６と隣り合う。
【００６２】
更に、切り欠き３１２の長辺側の縁における両端部から、平板部３１１と交差する方向に保持片３１３が延設されている。即ち、保持片３１３は則板部３１７と交差しており、各保持片３１３は各則板部３１７と隣り合うように設けられている。
【００６３】
則板部３１７及び保持片３１３は何れも略短冊状をなし、長手方向、即ち上下方向の寸法が前側板部３１５，３１６より小さい。また、則板部３１７の短手方向の寸法は、保持片３１３の短手方向の寸法より大きい。
【００６４】
切り欠き３１２の内側に保持体２０が配置された場合、各則板部３１７は保持体２０（第１面２０４）の短辺側の各側面と当接する。換言すれば、保持体２０は両則板部３１７によって挟持される。この際、各保持片３１３は、保持体２０の第１面２０４と反対側の第２面２０５と当接する。即ち、２つの保持片３１３が、第２面２０５側から保持体２０を保持する。
【００６５】
既に説明したように、保持体２０は、第１面２０４側から２つの保持板部１１３によって保持されており、上述の如く第２面２０５側からも２つの保持片３１３によって保持されている。換言すれば、保持体２０は２つの保持片３１３及び２つの保持板部１１３によって挟持されている。
【００６６】
このような構成を有することから、本実施形態に係る電気接続箱１００においては、保持体２０が確実に保持される。従って、保持体２０が前記複数のヒューズ端子１３の一端部１３２のみを保持しながらも、堅固にヒューズ端子１３を保持することができる。
【００６７】
なお、上ケース部３１においては、則板部３１７と前側板部３１５とによる縁、並びに、則板部３１７と前側板部３１６とによる縁を矩形状に切り欠いた位置決め部３１４が夫々設けられている。電気接続箱１００の組み付け作業の際、上側壁部１１２の切り欠き１１２Ａと、位置決め部３１４とが係合することによって、挿着筐体１０の位置が決められる。従って、挿着筐体１０が正確に配置される。
【００６８】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００６９】
１  ヒューズモジュール
１０  挿着筐体
１１  開放口
１２  挿入穴
１３  ヒューズ端子
１５  貫通孔
１６  後側面
２０  保持体
３０  ケース部材
３１  上ケース部
４０  蓋部材
５０  基板
５１  貫通孔
５２  ネジ貫通孔
１００  電気接続箱
１１３  保持板部
１１４  掛止孔
１３２  一端部
２０１  ネジ止め筒
２０２  掛止部
２０３  挿通孔
２０４  第１面
２０５  第２面
３１２  切り欠き
３１３  保持片
Ｆ  ヒューズ
【図１】
2020092576.tif 000003
【図２】
2020092576.tif 000004
【図３】
2020092576.tif 000005
【図４】
2020092576.tif 000006
【図５】
2020092576.tif 000007
【図６】
2020092576.tif 000008
【図７】
2020092576.tif 000009